(57)【要約】【課題】シートの張力を適性に維持しつつ、当該シートの意図しない切断を回避することのできる張力付与装置及びシート貼付装置を提供すること。【解決手段】原反Ｒを支持する支持ローラ１１と、原反Ｒに繰出力を付与する繰出手段１２と、剥離シートＲＬから接着シートＳを剥離するピールプレート１３と、剥離シートＲＬを回収する回収手段１５と、剥離シートＲＬに張力を付与する張力付与装置１６とを備えてシート貼付装置１０が構成されている。張力付与装置１６は、剥離シートＲＬに接するダンサローラ２２と、当該ダンサローラ２２を介して剥離シートＲＬに付勢する付勢手段２３とにより構成されており、ダンサローラ２２は、付勢手段２３の付勢力よりも弱い力で弾性変形するスポンジローラ２５を含んで構成されている。【選択図】図１
2009280316.tif 000002
【特許請求の範囲】
【請求項１】
帯状のシートの繰出経路に配置されて前記シートに所定の張力を付与する張力付与装置において、
前記シートに接する当接部材を含み、当該当接部材は、前記シートに所定の張力が付与されたときに弾性変形することを特徴とする張力付与装置。
【請求項２】
帯状のシートの繰出経路に配置されて前記シートに所定の張力を付与する張力付与装置において、
前記シートに接する当接部材と、当該当接部材に付勢力を付与する付勢手段とを含み、前記当接部材は、前記付勢手段の付勢力よりも弱い力で弾性変形することを特徴とする張力付与装置。
【請求項３】
帯状の剥離シートの一方の面に接着シートが仮着された原反を支持する支持手段と、前記原反を繰り出す繰出手段と、前記剥離シートから接着シートを剥離する剥離手段と、前記接着シートが剥離された剥離シートを回収する回収手段と、前記支持手段と回収手段との間のシート繰出経路における少なくとも１箇所に設けられて前記剥離シートに所定の張力を付与する張力付与装置とを備えたシート貼付装置において、
前記張力付与装置は、前記剥離シートに所定の張力が付与されたときに弾性変形可能な当接部材を含んで構成されていることを特徴とするシート貼付装置。
【請求項４】
帯状の剥離シートの一方の面に接着シートが仮着された原反を支持する支持手段と、前記原反を繰り出す繰出手段と、前記剥離シートから接着シートを剥離する剥離手段と、前記接着シートが剥離された剥離シートを回収する回収手段と、前記支持手段と回収手段との間のシート繰出経路における少なくとも１箇所に設けられて前記剥離シートに所定の張力を付与する張力付与装置とを備えたシート貼付装置において、
前記張力付与装置は、前記原反の一部に接する当接部材と、当該当接部材に付勢力を付与する付勢手段とを含み、前記当接部材は、前記付勢手段の付勢力よりも弱い力で弾性変形することを特徴とするシート貼付装置。
【発明の詳細な説明】
【技術分野】
【０００１】
本発明は張力付与装置及びシート貼付装置に係り、更に詳しくは、帯状のシートを繰り出す経路に配置され、シートの切断を防止して当該シートに一定の張力を付与することに適した張力付与装置及びこれを備えたシート貼付装置に関する。
【背景技術】
【０００２】
張力付与装置としては、図６（ａ）に示されるように、シートＳに繰出力を付与する駆動ローラ６０及びピンチローラ６１と、シートＳの繰出方向下流側に配置されたガイドローラ６２との間にダンサローラ６３を設け、当該ダンサローラ６３をスロット穴６４に沿って上下に移動可能に設けた構成が知られている。
このような張力付与装置にあっては、シートＳの間欠的な繰出動作若しくは回収動作が高速になるに従ってダンサローラ６３がバウンドし（図６（ｂ）参照）、バウンド中にシートＳが徐々に巻き取られてダンサローラ６３が上方に追いやられることとなる（図６（ｃ）参照）。そして、図６（ｄ）に示されるように、ローラ６１、６２間のシートＳが引っ張られた状態になると、ダンサローラ６３の効果がなくなり、図示しない巻取ローラによってシートＳが直接巻き取られるようになってしまい、図６（ｅ）に示されるように、シートが切断されてしまう、という不都合を招来する。
【０００３】
ところで、特許文献１には、シートを巻き取る際の張力付与装置が開示され、また、特許文献２には、シート繰出経路に張力付与装置を備えたシート貼付装置が開示されている。
【特許文献１】特開昭６１−３７６５２号公報
【特許文献２】特開２００３−１３７２３３号
【発明の開示】
【発明が解決しようとする課題】
【０００４】
特許文献１に記載された張力付与装置を構成するダンサローラは、加圧力調整機構と支持ばねとを介して設けられた構成とされている。そのため、シートが高速で間欠的に繰り出された場合に、ダンサローラの慣性等によって支持ばねが対応できなくなり、図６に示される例と同様に、シートが切断されてしまう、という不都合がある。
また、特許文献２においても、シートの張力に応じて移動可能に設けられたダンサローラが高速で間欠的に送り出されたときに、特許文献１と同様にシートが切断されてしまう、という不都合がある。
【０００５】
［発明の目的］
本発明は、このような不都合に着目して案出されたものであり、その目的は、シートの張力を適性に維持しつつ、当該シートの意図しない切断を回避することのできる張力付与装置と、当該装置を備えたシート貼付装置を提供することにある。
【課題を解決するための手段】
【０００６】
前記目的を達成するため、本発明は、帯状のシートの繰出経路に配置されて前記シートに所定の張力を付与する張力付与装置において、前記シートに接する当接部材を含み、当該当接部材は、前記シートに所定の張力が付与されたときに弾性変形する、という構成を採っている。
【０００７】
また、本発明は、帯状のシートの繰出経路に配置されて前記シートに所定の張力を付与する張力付与装置において、前記シートに接する当接部材と、当該当接部材に付勢力を付与する付勢手段とを含み、前記当接部材は、前記付勢手段の付勢力よりも弱い力で弾性変形する、という構成を採ることが好ましい。
【０００８】
更に、本発明は、帯状の剥離シートの一方の面に接着シートが仮着された原反を支持する支持手段と、前記原反を繰り出す繰出手段と、前記剥離シートから接着シートを剥離する剥離手段と、前記接着シートが剥離された剥離シートを回収する回収手段と、前記支持手段と回収手段との間のシート繰出経路における少なくとも１箇所に設けられて前記剥離シートに所定の張力を付与する張力付与装置とを備えたシート貼付装置において、前記張力付与装置は、前記剥離シートに所定の張力が付与されたときに弾性変形可能な当接部材を含んで構成される、という構成を採っている。
【０００９】
また、本発明は、帯状の剥離シートの一方の面に接着シートが仮着された原反を支持する支持手段と、前記原反を繰り出す繰出手段と、前記剥離シートから接着シートを剥離する剥離手段と、前記接着シートが剥離された剥離シートを回収する回収手段と、前記支持手段と回収手段との間のシート繰出経路における少なくとも１箇所に設けられて前記剥離シートに所定の張力を付与する張力付与装置とを備えたシート貼付装置において、前記張力付与装置は、前記原反の一部に接する当接部材と、当該当接部材に付勢力を付与する付勢手段とを含み、前記当接部材は、前記付勢手段の付勢力よりも弱い力で弾性変形する、という構成を採ることが好ましい。
【発明の効果】
【００１０】
本発明によれば、シートが高速且つ間欠的に繰り出されたり、巻き取られたりするときに、当該シートに当接する当接部材が変形を伴うことで、シートに所定の張力を付与することができ、従来のような加圧力調整機構や、支持ばねといった複雑な機構を設ける必要がなくなり、装置の簡素化を図ることができる。
また、シートに接する当接部材と、この当接部材に付勢力を付与する付勢手段とで張力付与装置を構成し、当接部材が付勢手段の付勢力よりも弱い力で弾性変形するようにしたことで、シートに付与される初期の張力は当接部材が弾性変形して吸収し、当接部材で吸収できなくなった張力は、付勢手段によって吸収されてシートに所定の張力を付与するように働くため、高速で当接部材に外力が加えられても従来例のようにバウンド現象を起こすことがなくなり、シートを高速且つ間欠的に繰り出す際の追従性を良好に維持でき、シートが切断されてしまうような不具合を効果的に回避することができる。
従って、張力付与装置を備えたシート貼付装置においては、帯状の剥離シートが切断されてしまうようなことがなくなり、シート貼付不良を抑制することができる。
【発明を実施するための最良の形態】
【００１１】
以下、本発明の好ましい実施の形態について図面を参照しながら説明する。
【００１２】
図１には、本実施形態に係る張力付与装置を備えたシート貼付装置の概略正面図が示され、図２には、張力付与装置の拡大図が示されている。これらの図において、シート貼付装置１０は、帯状の剥離シートＲＬの一方の面に所定間隔を隔ててラベル等の接着シートＳが仮着されたロール状の原反Ｒを支持する支持手段としての支持ローラ１１と、前記原反Ｒを繰り出す繰出手段１２と、剥離シートＲＬを折り返して接着シートＳを剥離する剥離手段としてのピールプレート１３と、搬送路Ｐに沿って搬送される被着体Ｗに接着シートＳを押圧するプレスローラ１４と、剥離シートＲＬを回収する回収手段１５と、前記繰出手段１２と回収手段１５との間に設けられた張力付与装置１６と、これらを支持するフレームＦ及び図示しない制御手段とを備えて構成されている。
【００１３】
前記繰出手段１２は、フレームＦの背面側に配置されたモータＭ１と、当該モータＭ１の出力軸に連結されて回転する駆動ローラ１８と、この駆動ローラ１８との間に剥離シートＲＬを挟み込むピンチローラ１９とにより構成されている。
【００１４】
前記回収手段１５は、フレームＦの背面側に配置されたモータＭ２と、当該モータＭ２の出力軸に連結されて前記シートＳを巻き取る方向に回転する巻取ローラ２０とにより構成されている。なお、図中参照符号１７はガイドローラを示す。
【００１５】
前記張力付与装置１６は、図２及び図３に示されるように、当接部材としてのダンサローラ２２と、当該ダンサローラ２２に付勢力を付与する付勢手段２３とにより構成されている。ダンサローラ２２は、中心軸２４と、当該中心軸２４の外周側に相対回転可能に設けられたスポンジローラ２５とからなる。中心軸２４は、フレームＦに形成されたスロット穴２５を貫通した状態で配置される。また、スポンジローラ２５は、付勢手段２３による付勢力よりも弱い力によって弾性変形可能とされており、具体的には、円形の外周形状が扁平若しくは楕円形状に変形できるようになっている。
【００１６】
前記付勢手段２３は、フレームＦの背面側においてスロット穴２５の長手方向と平行に配置されたガイドレール３０と、このガイドレール３０に沿って移動可能なスライダ３１と、当該スライダ３１に固定されて前記中心軸２４を支持するブラケット３２とにより構成されている。本実施形態における付勢手段２３は、スライダ３１とブラケット３２と中心軸２４とスポンジローラ２５との重さによってダンサローラ２２に付勢力を付与することとなる。
【００１７】
次に、前記シート貼付装置１０の全体的な動作について、図４をも参照しながら説明する。
【００１８】
シート貼付装置１０の初期設定においては、支持ローラ１１から原反Ｒを所定長さ引き出しておき、ピールプレート１３の先端で剥離シートＲＬを反転した後、繰出手段１２、張力付与装置１６を経由して巻取ローラ２０に剥離シートＲＬのリード端を固定する。
【００１９】
接着シートＳの貼付は、搬送路Ｐを搬送される被着体Ｗが所定位置に達し、図示しないセンサにより検出されたときに、繰出手段１２が駆動して原反Ｒの繰り出しが行われる。この繰り出しによってピールプレート１３の先端で接着シートＳが剥離シートＲＬから剥離され、プレスローラ１４による押圧力を受けて接着シートＳが被着体Ｗの上面に貼付される。この際、回収手段１５のモータＭ２は停止状態とされ、繰出手段１２による駆動量に応じてダンサローラ２５は、図４（ａ）に示されるように、付勢手段２３の付勢力によってスロット穴２６内を下降して張力を一定に保つこととなる。
【００２０】
その後、前記モータＭ１が停止中に、回収手段１５のモータＭ２が駆動して巻取ローラ２０が巻取方向に回転することとなる。この回転により剥離シートＲＬの張力が上昇すると、図４（ｂ）に示されるように、初期の張力を吸収するようにスポンジローラ２５が変形し、この張力をスポンジローラ２５で吸収できなくなると、図４（ｃ）に示されるように、付勢手段２３の付勢力に抗してダンサローラ２２が上昇する。つまり、スポンジローラ２５が張力という入力に対し一瞬ショックアブソーバの働きをすることで、従来のようにバウンド現象を起こすことを回避して上昇し、剥離シートＲＬに対して一定の張力を付与し続けるようになる。そして、次の被着体Ｗが搬送されてくる度に上記同様のサイクルを繰り返しつつ接着シートＳの貼付が行われることとなる。なお、スポンジローラ２５の上昇、下降位置は、図示しないセンサによって所定範囲内に保たれるようにモータＭ１とＭ２とがリンクして制御される。
【００２１】
従って、このような実施形態によれば、スポンジローラ２５が弾性変形することにより、当該スポンジローラ２５が剥離シートＲＬから離間するようなバウンド現象を回避しつつ、一定の張力を剥離シートＲＬに付与することができ、回収ローラ２０が一定の巻き圧で剥離シートＲＬを巻き取ることができる、という効果を得ることができる。
【００２２】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２３】
例えば、前記実施形態では、張力付与装置１６として、スポンジローラ２５を含むダンサローラ２２を用いたが、図５に示されるように、スポンジパッド４０を当接部材として用いる構成としてもよい。スポンジパッド４０を用いた場合の付勢手段２３としては、ばね材で構成されたアーム４１をブラケット４２と軸４３とを介してフレームＦに固定する。このような構成によれば、スポンジパッド４０は、アーム４１のばねの作用によって、剥離シートＲＬに一定の張力を付与することができる。
【００２４】
また、前記スポンジローラ２５、スポンジパッド４０は、その他の弾性変形可能な材料によって形成されたものでもよい。具体的には、ゴム、シリコンゴム、樹脂等からなる成形品が例示できる。
【００２５】
更に、前記実施形態では、張力付与装置１６が繰出手段１２と回収手段１５との間の１箇所に配置された場合を図示、説明したが、本発明はこれに限定されるものではなく、支持手段１１と剥離手段１３との間や、剥離手段１３と繰出手段１２との間に設けるようにしてもよい。要するに、本発明は、原反Ｒ等のシート繰出経路において、張力調整が要求される経路上の区間において、数に限定されることなく設けることができる。
【００２６】
更に、支持手段１１は、支持ローラ１１に限らず、一定の繰出抵抗を付与することのできる適宜な機構を備えたものであれば足りる。例えば、前記実施形態では、ロール状の原反Ｒを繰り出しの対象としたが、交互に折り畳んだ原反を対象とすることもできる。
【００２７】
また、剥離手段を構成するピールプレート１３に代えて、剥離ローラ等を採用してもよい。
【図面の簡単な説明】
【００２８】
【図１】シート貼付装置の全体構成を示す概略正面図。
【図２】図１の部分拡大図。
【図３】図２の部分断面図。
【図４】（ａ）〜（ｃ）は、張力付与装置の動作説明図。
【図５】張力付与装置の変形例を示す概略正面図。
【図６】（ａ）〜（ｅ）は、従来例における張力付与装置の不都合を説明するための説明図。
【符号の説明】
【００２９】
１０  シート貼付装置
１１  支持ローラ（支持手段）
１２  繰出手段
１３  ピールプレート（剥離手段）
１５  回収手段
１６  張力付与装置
２２  ダンサローラ（当接部材）
２３  付勢手段
４０  スポンジパッド（当接部材）
Ｒ  原反
ＲＬ  剥離シート
Ｓ  接着シート
【図１】
2009280316.tif 000003
【図２】
2009280316.tif 000004
【図３】
2009280316.tif 000005
【図４】
2009280316.tif 000006
【図５】
2009280316.tif 000007
【図６】
2009280316.tif 000008